(57)【要約】【課題】非接触ＩＣチップが搭載された携帯電話機をユーザが紛失した場合において、第三者による携帯電話機の不正使用を好適に防止することができるようにする。【解決手段】本発明に係る情報処理装置に適用可能な携帯電話機においては、ステップＳ１乃至Ｓ８で、主制御部は、携帯電話機の状態が遠隔ロックができない状態であるか否かを判定し、携帯電話機の状態が遠隔ロックができない状態であると判定された場合、認証情報の入力を受け付け、入力が受け付けられた認証情報が、予め記憶されている認証情報と一致するか否かを認証し、携帯電話機と携帯電話きに近接された情報読取装置に適用可能なＩＣリーダライタとの間でのデータの授受の実行の禁止を制御する。【選択図】  図４
2008118536.tif 000002
【特許請求の範囲】
【請求項１】
情報処理装置の状態が遠隔ロックができない状態であるか否かを判定する状態判定手段と、
前記状態判定手段により情報処理装置の状態が遠隔ロックができない状態であると判定された場合、認証情報の入力を受け付ける入力受付手段と、
前記入力受付手段により入力が受け付けられた前記認証情報が、予め記憶されている認証情報と一致するか否かを認証する認証手段と、
前記情報処理装置と、前記情報処理装置に近接された情報読取装置との間でのデータの授受の実行の禁止を制御する制御手段とを備えることを特徴とする情報処理装置。
【請求項２】
情報処理装置と、前記情報処理装置に近接された情報読取装置との間でデータの授受が実行された後、予め設定された所定の認証情報入力受付周期が経過したか否かを判定する判定手段と、
前記判定手段により、情報処理装置と前記情報読取装置との間でデータの授受が実行された後、予め設定された所定の認証情報入力受付周期が経過したと判定された場合、認証情報の入力を受け付ける入力受付手段と、
前記入力受付手段により入力が受け付けられた前記認証情報が、予め記憶されている認証情報と一致するか否かを認証する認証手段と、
前記情報処理装置と、前記情報処理装置に近接された情報読取装置との間でのデータの授受の実行の禁止を制御する制御手段とを備えることを特徴とする情報処理装置。
【請求項３】
情報処理装置と、前記情報処理装置に近接された情報読取装置との間でデータの授受が実行された後、前記情報処理装置が予め設定された所定の期間不使用であるか否かを判定する判定手段と、
前記判定手段により、情報処理装置と前記情報読取装置との間でデータの授受が実行された後、前記情報処理装置が予め設定された所定の期間不使用であると判定された場合、認証情報の入力を受け付ける入力受付手段と、
前記入力受付手段により入力が受け付けられた前記認証情報が、予め記憶されている認証情報と一致するか否かを認証する認証手段と、
前記情報処理装置と、前記情報処理装置に近接された情報読取装置との間でのデータの授受の実行の禁止を制御する制御手段とを備えることを特徴とする情報処理装置。
【請求項４】
前記認証手段により、前記入力受付手段により入力が受け付けられた前記認証情報が、予め記憶されている認証情報と一致すると認証された場合、前記制御手段は、前記情報処理装置と、前記情報処理装置に近接された情報読取装置との間でのデータの授受の実行を開始することを特徴とする請求項１、２、または３に記載の情報処理装置。
【請求項５】
前記認証情報は、暗証番号であることを特徴とする請求項１、２、または３に記載の情報処理装置。
【発明の詳細な説明】
【技術分野】
【０００１】
本発明は情報処理装置に係り、特に、非接触ＩＣチップが搭載された情報処理装置に関する。
【背景技術】
【０００２】
近年、携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されている。また、携帯電話機の所定の位置に内蔵された非接触ＩＣチップ（例えばFeliCaチップ（登録商標）など）を用いた電子マネーサービスや各種の認証機能なども搭載されている。
【０００３】
ところで、非接触ＩＣチップが搭載された携帯電話機をユーザが気づかないうちに紛失した場合、ユーザは、一般に、しばらく経ってから携帯電話機を紛失してしまったことに気づき、その後、遠隔ロック操作などを行うことで、非接触ＩＣチップが搭載された携帯電話機が第三者（例えば拾得者など）により不正に使用されることを防止することが可能となる。
【０００４】
なお、携帯電話機紛失時における第三者の不正使用を防止するための技術として、携帯電話機の紛失時における第三者による電子マネーの不正使用を防止するとともにその残高を回収することができる技術が提案されている（例えば、特許文献１参照）。
【０００５】
特許文献１に提案されている技術によれば、電子マネー管理サーバは、紛失の届出のあった携帯電話機の電子マネー残高の回収指示に応じて、携帯電話機にアクセスし、携帯電話機に対して電子マネー残高の取り出しを指示する。その後、電子マネー管理サーバは、携帯電話機から取り出された電子マネー残高を受信し、受信された電子マネー残高を携帯電話機の所有者であるユーザに返却することができる。これにより、電子マネー機能付きの携帯電話機の紛失時に、通信事業者に連絡後直ちに、その携帯電話機の電子マネーを第三者が不正に使用することを防止するとともに、携帯電話機内の残高を回収することができる。
【特許文献１】特開２００３−１３２２９１号公報
【発明の開示】
【発明が解決しようとする課題】
【０００６】
しかしながら、特許文献１に提案されている技術では、電子マネー機能付きの携帯電話機の紛失時に、通信事業者に連絡後直ちに、その携帯電話機の電子マネーを第三者が不正に使用することを防止するとともに、携帯電話機内の残高を回収することはできるが、ユーザがしばらく経ってから携帯電話機を紛失したことに気づいたとしても、ユーザが携帯電話機を紛失したことに気づくまでの間に、携帯電話機が第三者（例えば拾得者など）により不正に使用されてしまう。
【０００７】
また、ユーザがしばらく経ってから携帯電話機を紛失したことに気づいたとしても、そもそも、携帯電話機の状態が遠隔ロックができない状態である場合、例えば圏外状態、無線ＯＦＦ状態、または電源ＯＦＦ状態などである場合には、携帯電話機に対して遠隔ロック操作を行うことができない。そのため、携帯電話機１の状態が遠隔ロックができない状態である場合に、紛失した携帯電話機１が第三者により見つけられて拾得されると、その後、携帯電話機１の状態が遠隔ロック可能な状態となるまでの間（例えば、圏外状態から圏内状態になるまでの間など）に、携帯電話機１が第三者により不正に使用されてしまう。
【０００８】
このように、非接触ＩＣチップが搭載された携帯電話機をユーザが気づかないうちに紛失した場合において、第三者（例えば拾得者など）による携帯電話機の不正使用を好適に防止することは困難であるという課題があった。
【０００９】
本発明は、このような状況に鑑みてなされたものであり、非接触ＩＣチップが搭載された携帯電話機をユーザが気づかないうちに紛失した場合において、第三者による携帯電話機の不正使用を好適に防止することができる情報処理装置を提供することを目的とする。
【課題を解決するための手段】
【００１０】
本発明の情報処理装置は、上述した課題を解決するために、情報処理装置の状態が遠隔ロックができない状態であるか否かを判定する状態判定手段と、状態判定手段により情報処理装置の状態が遠隔ロックができない状態であると判定された場合、認証情報の入力を受け付ける入力受付手段と、入力受付手段により入力が受け付けられた認証情報が、予め記憶されている認証情報と一致するか否かを認証する認証手段と、情報処理装置と、情報処理装置に近接された情報読取装置との間でのデータの授受の実行の禁止を制御する制御手段とを備えることを特徴とする。
【００１１】
本発明の情報処理装置は、上述した課題を解決するために、情報処理装置と、情報処理装置に近接された情報読取装置との間でデータの授受が実行された後、予め設定された所定の認証情報入力受付周期が経過したか否かを判定する判定手段と、判定手段により、情報処理装置と情報読取装置との間でデータの授受が実行された後、予め設定された所定の認証情報入力受付周期が経過したと判定された場合、認証情報の入力を受け付ける入力受付手段と、入力受付手段により入力が受け付けられた認証情報が、予め記憶されている認証情報と一致するか否かを認証する認証手段と、情報処理装置と、情報処理装置に近接された情報読取装置との間でのデータの授受の実行の禁止を制御する制御手段とを備えることを特徴とする。
【００１２】
本発明の情報処理装置は、上述した課題を解決するために、情報処理装置と、情報処理装置に近接された情報読取装置との間でデータの授受が実行された後、情報処理装置が予め設定された所定の期間不使用であるか否かを判定する判定手段と、判定手段により、情報処理装置と情報読取装置との間でデータの授受が実行された後、情報処理装置が予め設定された所定の期間不使用であると判定された場合、認証情報の入力を受け付ける入力受付手段と、入力受付手段により入力が受け付けられた認証情報が、予め記憶されている認証情報と一致するか否かを認証する認証手段と、情報処理装置と、情報処理装置に近接された情報読取装置との間でのデータの授受の実行の禁止を制御する制御手段とを備えることを特徴とする。
【００１３】
本発明の情報処理装置においては、情報処理装置の状態が遠隔ロックができない状態であるか否かが判定され、情報処理装置の状態が遠隔ロックができない状態であると判定された場合、認証情報の入力が受け付けられ、入力が受け付けられた認証情報が予め記憶されている認証情報と一致するか否かが認証され、情報処理装置と情報処理装置に近接された情報読取装置との間でのデータの授受の実行の禁止が制御される。
【００１４】
本発明の情報処理装置においては、情報処理装置と情報処理装置に近接された情報読取装置との間でデータの授受が実行された後、予め設定された所定の認証情報入力受付周期が経過したか否かが判定され、情報処理装置と情報読取装置との間でデータの授受が実行された後、予め設定された所定の認証情報入力受付周期が経過したと判定された場合、認証情報の入力が受け付けられ、入力が受け付けられた認証情報が予め記憶されている認証情報と一致するか否かが認証され、情報処理装置と情報処理装置に近接された情報読取装置との間でのデータの授受の実行の禁止が制御される。
【００１５】
本発明の情報処理装置においては、情報処理装置と情報処理装置に近接された情報読取装置との間でデータの授受が実行された後、情報処理装置が予め設定された所定の期間不使用であるか否かが判定され、情報処理装置と情報読取装置との間でデータの授受が実行された後、情報処理装置が予め設定された所定の期間不使用であると判定された場合、認証情報の入力が受け付けられ、入力が受け付けられた認証情報が予め記憶されている認証情報と一致するか否かが認証され、情報処理装置と情報処理装置に近接された情報読取装置との間でのデータの授受の実行の禁止が制御される。
【発明の効果】
【００１６】
本発明によれば、非接触ＩＣチップが搭載された携帯電話機をユーザが紛失した場合において、第三者による携帯電話機の不正使用を好適に防止することができる。
【発明を実施するための最良の形態】
【００１７】
以下、本発明の実施の形態について、図面を参照しながら説明する。
【００１８】
図１は、本発明に係る情報処理装置として適用可能な携帯電話機１の外観の構成を表している。なお、図１［Ａ］は、携帯電話機１を約１８０度に見開いたときの正面から見た外観の構成を表しており、図１［Ｂ］は、携帯電話機１を見開いたときの側面から見た外観の構成を表している。
【００１９】
図１［Ａ］および［Ｂ］に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ４４）が設けられており、内蔵されたアンテナを介して基地局（図示せず）との間で電波を送受信する。
【００２０】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２１】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２２】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２３】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２４】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２５】
なお、第１の筐体１２は、背面側に図示しないバッテリパックが挿着されており、終話・電源キーがオン状態になると、バッテリパックから各回路部に対して電力が供給されて動作可能な状態に起動する。
【００２６】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図２のメモリカード４６）に記憶されているコンテンツを表示することができる。また、液晶ディスプレイ１７の上部の所定の位置にはスピーカ１８が設けられており、これにより、ユーザは音声通話することが可能である。
【００２７】
また、第１の筐体１２と第２の筐体１３の内部の所定の位置には、携帯電話機１の状態を検知するための磁気センサ１９a、１９b、１９c、および１９dが設けられる。
【００２８】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２［Ａ］は、携帯電話機１を閉じたときの正面から見た外観の構成を表しており、図２［Ｂ］は、携帯電話機１を閉じたときの側面から見た外観の構成を表している。
【００２９】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００３０】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３１】
図３は、本発明に係る情報処理装置として適用可能な携帯電話機１の内部の構成を表している。
【００３２】
図３に示されるように、携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、および非接触ＩＣチップ４９がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３３】
電源回路部３２は、ユーザの操作により終話・電源キーがオン状態にされると、バッテリパックから各部に対して電力を供給することにより携帯電話機１を動作可能な状態に起動する。
【００３４】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３５】
なお、主制御部３１には、現在の日付と時刻を正確に計測するタイマ（例えば、ＲＴＣ（Real Time Clock）など）が内蔵されている。
【００３６】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３７】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３８】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００３９】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００４０】
その後携帯電話機１は、ユーザの操作に応じて受信した電子メールを記録再生部４５を介してメモリカード４６に記録することも可能である。
【００４１】
携帯電話機１は、画像信号を送信しない場合には、ＣＣＤカメラ２０で撮像した画像信号をカメラインタフェース部４５及びＬＣＤ制御部４６を介して液晶ディスプレイ１７に直接表示する。
【００４２】
携帯電話機１は、データ通信モード時に画像信号を送信する場合、ＣＣＤカメラ２０で撮像された画像信号をカメラインタフェース部３５を介して画像エンコーダ３４に供給する。
【００４３】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００４４】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４５】
これに対して、携帯電話機１では、データ通信モード時に、Ｗｅｂページのデータを受信することができる。
【００４６】
すなわち、携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００４７】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００４８】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００４９】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５０】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機１は、受信したＷｅｂページなどにリンクされたデータをユーザの操作により記録再生部４５を介してメモリカード４６に記録することが可能である。
【００５１】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５２】
音楽制御部４８は、記憶部４７に記憶されているオーディオデータの再生動作および一時停止動作や、巻戻し機能、早送り機能、音量ダウン動作、音量アップ動作などの実行を制御する。
【００５３】
非接触ＩＣチップ４９は、携帯電話機１が情報読取装置として適用可能なＩＣリーダ／ライタ（図示せず）に近接され、そのＩＣリーダ／ライタから輻射される電磁波を受信したとき、それに応じて、各種の情報（例えば電子マネー情報など）をＩＣリーダ／ライタに供給する。これにより、図示せぬＩＣリーダ／ライタに接続されているホストコンピュータ（図示せず）との間で、例えば決済処理や認証処理が実行される。
【００５４】
ところで、非接触ＩＣチップ４９が搭載された携帯電話機１をユーザが気づかないうちに紛失した場合、ユーザがしばらく経ってから携帯電話機を紛失したことに気づいたとしても、ユーザが携帯電話機１を紛失したことに気づくまでの間に、携帯電話機１が第三者（例えば拾得者など）により不正に使用されてしまう。
【００５５】
また、ユーザがしばらく経ってから携帯電話機１を紛失したことに気づいたとしても、そもそも、携帯電話機１の状態が遠隔ロックができない状態である場合、例えば圏外状態、無線ＯＦＦ状態、または電源ＯＦＦ状態などである場合には、ユーザは、携帯電話機１に対して遠隔ロック操作を行うことができない。そのため、携帯電話機１の状態が遠隔ロックができない状態である場合に、紛失した携帯電話機１が第三者により見つけられて拾得されると、その後、携帯電話機１の状態が遠隔ロック可能な状態となるまでの間（例えば、圏外状態から圏内状態になるまでの間など）に、携帯電話機１が第三者により不正に使用されてしまう。
【００５６】
付言すれば、携帯電話機１の状態が遠隔ロック可能な状態である場合に、紛失した携帯電話機１が第三者により見つけられて拾得されたとしても、第三者が携帯電話機１の拾得後に不正使用の目的で携帯電話機の電源をＯＦＦにしてしまうと、第三者の拾得後の意図的な行為により、ユーザは携帯電話機１に対して遠隔ロック操作を行うことができなくなってしまい、結果的に、携帯電話機１が第三者により不正に使用されてしまう。
【００５７】
以上のように、非接触ＩＣチップが搭載された携帯電話機をユーザが気づかないうちに紛失した場合において、第三者（例えば拾得者など）による携帯電話機の不正使用を好適に防止することは困難であるという問題があった。
【００５８】
そこで、携帯電話機１の状態が遠隔ロックができない状態である場合、例えば圏外状態、無線ＯＦＦ状態、または電源ＯＦＦ状態などである場合には、非接触ＩＣチップ４９を用いて図示せぬＩＣリーダ／ライタとの間でデータの授受を行う前に、暗証番号などを入力したり、生体認証などを行うことにより正当なユーザであると認証されないと、データの授受を開始することができないようにする。これにより、非接触ＩＣチップが搭載された携帯電話機をユーザが気づかないうちに紛失した場合において、第三者（例えば拾得者など）による携帯電話機の不正使用を好適に防止することが可能となる。以下、この方法を用いた携帯電話機１における暗証番号入力受付処理について説明する。
【００５９】
図４のフローチャートを参照して、図３の携帯電話機１における暗証番号入力受付処理について説明する。この暗証番号入力受付処理は、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとしたときに開始される。なお、図４のフローチャートを参照して説明する暗証番号入力受付処理においては、認証情報として例えば暗証番号を用いる。
【００６０】
ステップＳ１において、主制御部３１は、携帯電話機１に搭載された非接触ＩＣチップ４９を用いて図示せぬＩＣリーダ／ライタ（情報読取装置）との間でデータの授受を開始しようとしたときに、勿論、携帯電話機１の状態が遠隔ロックができない状態（例えば携帯電話機１の状態が圏外状態、図示せぬ基地局との無線によるやり取りを行わない状態である無線ＯＦＦ状態、携帯電話機１の電源がＯＦＦに設定されている状態である電源ＯＦＦ状態など）であるか否かを判定する。
【００６１】
ステップＳ１において携帯電話機１の状態が遠隔ロックができない状態（例えば携帯電話機１の状態が圏外状態、図示せぬ基地局との無線によるやり取りを行わない状態である無線ＯＦＦ状態、携帯電話機１の電源がＯＦＦに設定されている状態である電源ＯＦＦ状態など）であると判定された場合、主制御部３１は、ＬＣＤ制御部３６を制御し、暗証番号の入力を受け付けるための暗証番号入力受付画面を液晶ディスプレイ１７に表示させる。液晶ディスプレイ１７は、ＬＣＤ制御部３６の制御に従い、暗証番号の入力を受け付けるための暗証番号入力受付画面を表示する。
【００６２】
例えば図５［Ａ］に示される暗証番号入力受付画面５３は、メッセージ表示欄５４、暗証番号入力受付欄５５、およびコマンド表示欄５６を有する。
【００６３】
図５［Ａ］の例の場合、メッセージ表示欄５４には、メッセージとして「暗証番号を入力してください。」が表示される。これにより、第三者（例えば拾得者など）は、これ以降の処理により暗証番号を入力しなければならないことが分かる。
【００６４】
暗証番号入力受付欄５５は、暗証番号の入力を受け付けるための暗証番号入力受付欄である。コマンド表示欄５６は、「キャンセル」というコマンドのアイコンを有している。第三者（例えば拾得者など）は、操作キー１４を操作することにより、コマンド表示欄５６の「キャンセル」のコマンドアイコンを選択し、暗証番号入力処理をキャンセルすることができる。
【００６５】
その後、第三者（例えば拾得者など）は、暗証番号を入力するか、あるいは、暗証番号入力処理をキャンセルして非接触ＩＣチップ４９を用いて図示せぬＩＣリーダ／ライタとの間でのデータの授受を中止する。これにより、第三者（例えば拾得者など）による、非接触ＩＣチップ４９を用いた図示せぬＩＣリーダ／ライタとの間でのデータの授受の実行を禁止することができる。
【００６６】
ステップＳ３において、主制御部３１は、第三者（例えば拾得者など）により操作キー１４が操作されることにより暗証番号入力受付画面においてキャンセルが指示されたか否かを判定する。
【００６７】
ステップＳ３において第三者（例えば拾得者など）により操作キー１４が操作されることにより暗証番号入力受付画面においてキャンセルが指示されたと判定された場合、主制御部３１はステップＳ４で、非接触ＩＣチップ４９を用いた図示せぬＩＣリーダ／ライタとの間でのデータの授受の実行を禁止する。その後、暗証番号入力受付処理は終了される。
【００６８】
これにより、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとしたとしても、暗証番号入力受付画面上において正しい暗証番号を入力しない限り、図示せぬＩＣリーダ／ライタとの間でデータの授受を開始することができないようにすることができる。
【００６９】
ステップＳ３において第三者（例えば拾得者など）により操作キー１４が操作されることにより暗証番号入力受付画面においてキャンセルが指示されていないと判定された場合、主制御部３１はステップＳ５で、第三者（例えば拾得者など）により操作キー１４が操作されることにより暗証番号の入力を受け付ける。
【００７０】
例えば図５［Ｂ］に示されるように、例えば６桁の数字（５６２１８９など）などの入力が暗証番号として受け付けられる。勿論、暗証番号としての数字の桁数は６桁以外の数字でもよい。なお、図５［Ｂ］の例の場合、暗証番号入力受付画面には「＊＊＊＊＊＊」が表示される。
【００７１】
ステップＳ６において、主制御部３１は、記憶部４７に予め記憶されている暗証番号を読み出すとともに、読み出された暗証番号と暗証番号入力受付画面上において入力が受け付けられた暗証番号とが一致するか否かを認証する。
【００７２】
ステップＳ６において読み出された暗証番号と暗証番号入力受付画面上において入力が受け付けられた暗証番号とが一致すると認証された場合、主制御部３１はステップＳ７で、非接触ＩＣチップ４９を制御し、ＩＣリーダ／ライタとの間でのデータの授受を開始させる。例えば非接触ＩＣチップ４９と図示せぬＩＣリーダ／ライタとの間で電子マネー情報を用いた決済処理などが実行される。
【００７３】
一方、ステップＳ５において読み出された暗証番号と暗証番号入力受付画面上において入力が受け付けられた暗証番号とが一致しないと認証された場合、主制御部３１はステップＳ８で、エラー処理を実行する。すなわち、例えば図５[Ｃ]に示されるように、入力が受け付けられた暗証番号が一致しない旨のメッセージが表示される。その後、処理はステップＳ４に進み、ステップＳ４の処理において、非接触ＩＣチップ４９を用いた図示せぬＩＣリーダ／ライタとの間でのデータの授受の実行が禁止され、暗証番号入力受付処理は終了される。
【００７４】
これにより、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとして、第三者（例えば拾得者など）が暗証番号入力受付画面上に暗証番号を入力したとしても、暗証番号入力受付画面上において正しい暗証番号を入力しない限り、図示せぬＩＣリーダ／ライタとの間でデータの授受を開始することができないようにし、ＩＣリーダ／ライタとの間でのデータの授受の実行を禁止することができる。
【００７５】
ステップＳ１において携帯電話機１の状態が遠隔ロックができない状態（例えば圏外状態、図示せぬ基地局との無線によるやり取りを行わない状態である無線ＯＦＦ状態、携帯電話機１の電源がＯＦＦに設定されている状態である電源ＯＦＦ状態など）ではないと判定された場合（すなわち、携帯電話機１の状態が遠隔ロックができる状態であると判定された場合）、処理はステップＳ７に進み、ステップＳ７の処理において、ＩＣリーダ／ライタとの間でのデータの授受の実行が開始される。なお、非接触ＩＣチップが搭載された携帯電話機をユーザが気づかないうちに紛失した場合において、第三者（例えば拾得者など）がその携帯電話機１を見つけて拾得したとしても、この場合には、携帯電話機１の状態が遠隔ロックができる状態であることから、ユーザは携帯電話機１に対して遠隔ロック操作を行うことができ、第三者により携帯電話機１が不正に使用されることを防止することができる。勿論、携帯電話機１の状態が遠隔ロックができる状態であっても、携帯電話機１の状態が遠隔ロックができない状態と同様に、暗証番号の入力を受け付けるようにしてもよい。
【００７６】
本発明の実施形態においては、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとしたとき、携帯電話機１の状態が遠隔ロックできない状態であるか否かを判定し、携帯電話機１の状態が遠隔ロックできない状態であると判定された場合、認証情報としての暗証番号の入力を受け付ける暗証番号入力受付画面を表示するとともに、入力が受け付けられた暗証番号が予め記憶されている暗証番号と一致するか否かを認証し、入力が受け付けられた暗証番号が予め記憶されている暗証番号と一致しないと認証された場合、携帯電話機１の非接触ＩＣチップ４９を用いて図示せぬＩＣリーダ／ライタとの間でデータの授受の実行を禁止するようにしたので、携帯電話機１の状態が遠隔ロックができない状態である場合であっても、第三者（例えば拾得者など）により携帯電話機１が不正に使用されることを防止することができる。
【００７７】
これにより、非接触ＩＣチップが搭載された携帯電話機をユーザが紛失した場合において、第三者（例えば拾得者など）による携帯電話機の不正使用を好適に防止することができる。従って、携帯電話機１に搭載された非接触ＩＣチップ４９を利用する場合における安全性を向上させることができる。
【００７８】
なお、図４のフローチャートを参照して説明した暗証番号入力受付処理においては、認証情報として例えば暗証番号を用いるようにしたが、暗証番号以外にも、例えば生体認証（例えば指紋認証や声紋認証、画像認証、静脈認証）などを用いて認証するようにしてもよいし、その他の認証方法を用いるようにしてもよい。ここで、これらの暗証番号や生体認証などで用いられる情報を「認証情報」と定義する。
【００７９】
ところで、図４のフローチャートを参照して説明した暗証番号入力受付処理においては、携帯電話機１の状態が遠隔ロックができない状態（例えば圏外状態、図示せぬ基地局との無線によるやり取りを行わない状態である無線ＯＦＦ状態、携帯電話機１の電源がＯＦＦに設定されている状態である電源ＯＦＦ状態など）であると判定された場合に、暗証番号入力受付画面を表示して暗証番号の入力を受け付けるようにしたが、例えば携帯電話機１の状態が遠隔ロックができる状態であったとしても、第三者（例えば拾得者など）が非接触ＩＣチップ４９を不正に使用する前にユーザが必ずしも遠隔ロックを行うことができるとは限らない。換言すれば、ユーザが遠隔ロックを行うまでに、第三者（例えば拾得者など）が非接触ＩＣチップ４９を不正に使用してしまう危険性がある。
【００８０】
また、ユーザが携帯電話機１に搭載された非接触ＩＣチップ４９を用いてＩＣリーダ／ライタ（図示せず）との間でデータの授受を行った直後（例えば決済処理を実行した直後）に携帯電話機１を落として紛失してしまった場合、ユーザが携帯電話機１を紛失したことに気づく前に、第三者（例えば拾得者など）によって携帯電話機１が不正に使用されてしまう危険性もある。
【００８１】
そこで、ユーザにより携帯電話機１の非接触ＩＣチップ４９を用いたＩＣリーダ／ライタ（図示せず）とのデータの授受が実行された後（例えば決済処理が実行された後）、予め設定された所定の暗証番号入力受付周期ごとに、暗証番号などを入力したり、生体認証などを行うことにより正当なユーザであると認証されないと、データの授受を開始することができないようにしてもよい。これにより、非接触ＩＣチップが搭載された携帯電話機をユーザが気づかないうちに紛失した場合において、ユーザが携帯電話機１を紛失したことに気づくか否かに関係なく、第三者（例えば拾得者など）による携帯電話機の不正使用をより好適に防止することが可能となる。以下、この方法を用いた携帯電話機１における他の暗証番号入力受付処理について説明する。
【００８２】
図６のフローチャートを参照して、図３の携帯電話機１における他の暗証番号入力受付処理について説明する。この暗証番号入力受付処理は、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとしたときに開始される。
【００８３】
なお、図６のステップＳ１２乃至Ｓ１８の処理は、図４のステップＳ２乃至Ｓ８の処理と基本的には同様であり、その説明は繰り返しになるので省略する。
【００８４】
ステップＳ１１において、主制御部３１は、ユーザにより携帯電話機１の非接触ＩＣチップ４９を用いたＩＣリーダ／ライタ（図示せず）とのデータの授受が実行された後（例えば決済処理が実行された後）、予め設定された所定の暗証番号入力受付周期（例えば５分間）が経過したか否かを判定する。
【００８５】
ステップＳ１１においてユーザにより携帯電話機１の非接触ＩＣチップ４９を用いたＩＣリーダ／ライタ（図示せず）とのデータの授受が実行された後（例えば決済処理が実行された後）、予め設定された所定の暗証番号入力受付周期（例えば５分間）が経過したと判定された場合、処理はステップＳ１２に進み、ステップＳ１２において暗証番号入力受付画面が表示され、入力が受け付けられた暗証番号の認証処理が実行される。
【００８６】
これにより、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようしたとしても、ユーザによる使用後予め設定された所定の暗証番号入力受付周期ごとに、第三者（例えば拾得者など）が暗証番号入力受付画面上において正しい暗証番号を入力しない限り、図示せぬＩＣリーダ／ライタとの間でデータの授受を開始することができないようにすることができる。
【００８７】
一方、ステップＳ１１においてユーザにより携帯電話機１の非接触ＩＣチップ４９を用いたＩＣリーダ／ライタ（図示せず）とのデータの授受が実行された後（例えば決済処理が実行された後）、予め設定された所定の時間（例えば５分間）が経過していないと判定された場合、処理はステップＳ１７に進み、携帯電話機１の非接触ＩＣチップ４９を用いたＩＣリーダ／ライタ（図示せず）とのデータの授受が実行される。
【００８８】
これにより、非接触ＩＣチップが搭載された携帯電話機をユーザが紛失していない場合において、ユーザにより携帯電話機１の非接触ＩＣチップ４９を用いたＩＣリーダ／ライタ（図示せず）とのデータの授受が実行された後（例えば決済処理が実行された後）、予め設定された所定の暗証番号入力受付周期（例えば５分間）が経過しない間では、暗証番号入力処理と認証処理を実行せずに、再度、ＩＣリーダ／ライタ（図示せず）とのデータの授受の実行を開始することができる。従って、携帯電話機１に搭載された非接触ＩＣチップ４９を利用する場合における利便性を向上させることができる。
【００８９】
本発明の実施形態においては、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとしたとき、ユーザにより携帯電話機１の非接触ＩＣチップ４９を用いたＩＣリーダ／ライタ（図示せず）とのデータの授受が実行された後（例えば決済処理が実行された後）、予め設定された所定の暗証番号入力受付周期（例えば５分間）が経過した否かを判定し、予め設定された所定の暗証番号入力受付周期（例えば５分間）が経過したと判定された場合、認証情報としての暗証番号の入力を受け付ける暗証番号入力受付画面を表示するとともに、入力が受け付けられた暗証番号が予め記憶されている暗証番号と一致するか否かを認証し、入力が受け付けられた暗証番号が予め記憶されている暗証番号と一致しないと認証された場合、携帯電話機１の非接触ＩＣチップ４９を用いて図示せぬＩＣリーダ／ライタとの間でデータの授受の実行を禁止するようにしたので、ユーザが携帯電話機１を紛失したことに気づくか否かに関係なく、第三者（例えば拾得者など）により携帯電話機１が不正に使用されることを防止することができる。
【００９０】
これにより、非接触ＩＣチップが搭載された携帯電話機をユーザが紛失した場合において、第三者（例えば拾得者など）による携帯電話機の不正使用をより好適に防止することができる。従って、携帯電話機１に搭載された非接触ＩＣチップ４９を利用する場合における安全性をより向上させることができる。
【００９１】
なお、ユーザの好みに応じて、適宜、暗証番号入力受付周期を設定するようにしてもよい。以下、この方法を用いた携帯電話機１における暗証番号入力受付周期設定処理について説明する。
【００９２】
図７のフローチャートを参照して、図３の携帯電話機１における暗証番号入力受付周期設定処理について説明する。この暗証番号入力受付周期設定処理は、ユーザにより操作キー１４が操作されることにより暗証番号入力受付周期設定処理を開始するとの指示がなされることで開始される。
【００９３】
ステップＳ２１において、主制御部３１は、ユーザにより操作キー１４が操作されることにより暗証番号入力受付周期設定処理を開始するとの指示がなされたか否かを判定し、ユーザにより操作キー１４が操作されることにより暗証番号入力受付周期設定処理を開始するとの指示がなされたと判定するまで待機する。
【００９４】
ステップＳ２１においてユーザにより操作キー１４が操作されることにより暗証番号入力受付周期設定処理を開始するとの指示がなされたと判定された場合、主制御部３１はステップＳ２２で、ユーザにより操作キー１４が操作されることにより、暗証番号入力受付周期の入力を受け付ける。例えば、暗号番号入力受付周期として例えば５分間などの入力が受け付けられる。
【００９５】
ステップＳ２３において、主制御部３１は、入力が受け付けられた暗証番号入力受付周期に基づいて、暗証番号入力受付周期を設定し、設定された暗証番号入力受付周期に関するデータである暗証番号入力受付周期設定データを記憶部４７に供給する。
【００９６】
ステップＳ２４において、記憶部４７は、主制御部３１の制御に従い、主制御部３１から供給された暗証番号入力受付周期設定データを取得し、取得された暗証番号入力受付周期設定データを記憶する。
【００９７】
これにより、ユーザが非接触ＩＣチップ４９を用いて図示せぬＩＣリーダ／ライタとの間でデータの授受を連続して実行したいと考える場合などに、暗証番号入力受付周期をより長く設定することができ、また、第三者により携帯電話機１が不正に使用されることをより好適に防止したいと考える場合などに、暗証番号入力受付周期をより短く設定することができる。従って、ユーザの好みに応じて、携帯電話機１に搭載された非接触ＩＣチップ４９を利用する場合における安全性をより向上させたり、その利便性をより向上させたりすることができる。
【００９８】
勿論、ユーザが非接触ＩＣチップ４９を用いて図示せぬＩＣリーダ／ライタとの間でデータの授受を連続して実行したいと考える場合などに、暗証番号入力受付周期を長く設定するのではなく、暗証番号入力受付処理自体を実行しないように認証情報入力受付機能のＯＮ／ＯＦＦを切り替えてＯＦＦに設定するようにしてもよい。これにより、携帯電話機１に搭載された非接触ＩＣチップ４９を利用する場合における利便性をより向上させたりすることができる。
【００９９】
なお、図７の暗証番号入力受付周期設定処理においては、暗証番号の入力受付周期である暗号番号入力受付周期を設定するようにしたが、このような場合に限られず、生体認証などの入力受付周期を設定するようにしてもよいし、それぞれ、異なる周期を設定するようにしてもよい。ここで、暗証番号や生体認証などの入力受付周期を「認証情報入力受付周期」と定義する。
【０１００】
ところで、ユーザが携帯電話機１を落としてしまい紛失した場合、しばらくの間、その携帯電話機１は使用されないと考えられることから、ユーザにより携帯電話機１の非接触ＩＣチップ４９を用いたＩＣリーダ／ライタ（図示せず）とのデータの授受が実行されてから、携帯電話機１が予め設定された所定の期間不使用であった後に、非接触ＩＣチップ４９を用いて図示せぬＩＣリーダ／ライタとの間でデータの授受が開始されようとしたとき、第三者（例えば拾得者など）が携帯電話機１を不正に使用しようとしていると考えられる。
【０１０１】
そこで、携帯電話機１が予め設定された所定の期間不使用であった後、非接触ＩＣチップ４９を用いて図示せぬＩＣリーダ／ライタとの間でデータの授受が開始されようとしたとき、暗証番号などを入力したり、生体認証などを行うことにより正当なユーザであると認証されないと、図示せぬＩＣリーダ／ライタとの間でデータの授受を開始することができないようにしてもよい。以下、この方法を用いた携帯電話機１における他の暗証番号入力受付処理について説明する。
【０１０２】
図８のフローチャートを参照して、図３の携帯電話機１における他の暗証番号入力受付処理について説明する。この暗証番号入力受付処理は、非接触ＩＣチップが搭載された携帯電話機をユーザが気づかないうちに紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようとしたときに開始される。
【０１０３】
なお、図８のステップＳ４２乃至Ｓ４８の処理は、図４のステップＳ２乃至Ｓ８の処理と基本的には同様であり、その説明は繰り返しになるので省略する。
【０１０４】
ステップＳ４１において、主制御部３１は、ユーザにより携帯電話機１の非接触ＩＣチップ４９を用いたＩＣリーダ／ライタ（図示せず）とのデータの授受が実行された後（例えば決済処理が実行された後）、携帯電話機１が予め設定された所定の期間（例えば２日間など）不使用であるか否かを判定する。具体的には、携帯電話機１の操作キー１４がユーザにより操作されるなどにより、携帯電話機１が予め設定された所定の期間（例えば２日間など）不使用であるか否かを判定する。
【０１０５】
勿論、予め設定された所定の期間は、ユーザの好みに応じて新たに設定するようにしてもよい。
【０１０６】
ステップＳ４１においてユーザにより携帯電話機１の非接触ＩＣチップ４９を用いたＩＣリーダ／ライタ（図示せず）とのデータの授受が実行された後（例えば決済処理が実行された後）、携帯電話機１が予め設定された所定の期間（例えば２日間など）不使用であると判定された場合、処理はステップＳ４２に進み、ステップＳ４２において暗証番号入力受付画面が表示され、入力が受け付けられた暗証番号の認証処理が実行される。
【０１０７】
これにより、非接触ＩＣチップが搭載された携帯電話機をユーザが紛失した場合において、第三者（例えば拾得者など）がその携帯電話機１を見つけて拾得した後、携帯電話機１に搭載された非接触ＩＣチップ４９を用いて図示せぬＩＣリーダ／ライタとの間でデータの授受を開始しようしたとしも、ユーザにより携帯電話機１の非接触ＩＣチップ４９を用いたＩＣリーダ／ライタ（図示せず）とのデータの授受が実行された後（例えば決済処理が実行された後）に、携帯電話機１が予め設定された所定の期間不使用であった場合には、第三者（例えば拾得者など）が暗証番号入力受付画面上において正しい暗証番号を入力しない限り、図示せぬＩＣリーダ／ライタとの間でデータの授受の実行を禁止することができる。
【０１０８】
従って、非接触ＩＣチップが搭載された携帯電話機をユーザが紛失した場合において、第三者（例えば拾得者など）による携帯電話機の不正使用をより好適に防止することができる。その結果、携帯電話機１に搭載された非接触ＩＣチップ４９を利用する場合における安全性をより向上させることができる。
【０１０９】
一方、ステップＳ４１においてユーザにより携帯電話機１の非接触ＩＣチップ４９を用いたＩＣリーダ／ライタ（図示せず）とのデータの授受が実行された後（例えば決済処理が実行された後）、携帯電話機１が予め設定された所定の期間（例えば２日間など）不使用ではないと判定された場合、処理はステップＳ４７に進み、携帯電話機１の非接触ＩＣチップ４９を用いたＩＣリーダ／ライタ（図示せず）とのデータの授受が実行される。
【０１１０】
これにより、非接触ＩＣチップが搭載された携帯電話機をユーザが紛失していない場合において、ユーザにより携帯電話機１の非接触ＩＣチップ４９を用いたＩＣリーダ／ライタ（図示せず）とのデータの授受が実行された後（例えば決済処理が実行された後）、予め設定された所定の期間（例えば２日間など）が経過しない場合には、暗証番号入力処理と認証処理を実行せずに、再度、ＩＣリーダ／ライタ（図示せず）とのデータの授受の実行を開始することができる。従って、携帯電話機１に搭載された非接触ＩＣチップ４９を利用する場合における利便性を向上させることができる。
【０１１１】
なお、本発明は、携帯電話機１以外にも、ＰＤＡ（Personal Digital Assistant）、パーソナルコンピュータ、その他の情報処理装置にも適用することができる。
【０１１２】
また、本発明の実施形態において説明した一連の処理は、ソフトウェアにより実行させることもできるが、ハードウェアにより実行させることもできる。
【０１１３】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１１４】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の内部の構成を示すブロック図。
【図４】図３の携帯電話機における暗証番号入力受付処理を説明するフローチャート。
【図５】図３の液晶ディスプレイに表示される表示例を示す図。
【図６】図３の携帯電話機における他の暗証番号入力受付処理を説明するフローチャート。
【図７】図３の携帯電話きにおける暗証番号入力受付周期設定処理を説明するフローチャート。
【図８】図３の携帯電話機における他の暗証番号入力受付処理を説明するフローチャート。
【符号の説明】
【０１１５】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…非接触ＩＣチップ。
【図１】
2008118536.tif 000003
【図２】
2008118536.tif 000004
【図３】
2008118536.tif 000005
【図４】
2008118536.tif 000006
【図５】
2008118536.tif 000007
【図６】
2008118536.tif 000008
【図７】
2008118536.tif 000009
【図８】
2008118536.tif 000010